(57)【要約】【課題】復電時において蓄電池の状態に応じた充電をする。【解決手段】第１給電経路Ｌ１は、電源装置１が整流器２０１から受電した直流電力を、負荷４に給電する。第１接点１１１は、オンであるときに直流電力を、負荷４に対し並列に接続された蓄電池３に給電する。継電器１１０は、給電されているときには第１接点１１１をオンにし、給電が遮断されると第１接点１１１をオフにする。第２接点１２１は、オンであるときに直流電力を継電器１１０に給電する第２給電経路Ｌ２を形成する。検出器１３０は、蓄電池３の状態を検出し、検出した状態が所定の条件を満たさないときに第３接点１３１をオンにし、満たすときに第３接点１３１をオフにする。タイマー１２０は、給電されているときには、この給電の開始から設定された設定時間が経過した後に第２接点１２１をオンにし、給電が遮断されると第２接点１２１をすぐにオフにする。【選択図】図１
2020010506.tif 000002
【特許請求の範囲】
【請求項１】
停電時に、
蓄電池から負荷への給電経路を接続した状態にし、
前記蓄電池が所定の条件を満たすと、前記給電経路を切断し、
復電時に、
前記給電経路が切断されていたら、設定された設定時間が経過した後に前記蓄電池への給電を開始し、
前記給電経路が接続されていたら、前記蓄電池への給電を開始する
電源装置。
【請求項２】
前記所定の条件は、前記蓄電池の電圧が閾値未満になることである、
請求項１に記載の電源装置。
【請求項３】
前記所定の条件は、前記蓄電池が前記負荷へ給電した時間が閾値以上になることである、
請求項１に記載の電源装置。
【請求項４】
前記設定時間は、利用者の操作に応じて設定される、
請求項１から３のいずれか１項に記載の電源装置。
【請求項５】
前記給電経路が接続されているか否かを利用者に提示する
請求項１から４のいずれか１項に記載の電源装置。
【請求項６】
利用者の操作に応じて、前記蓄電池と前記負荷とを接続する
請求項１から５のいずれか１項に記載の電源装置。
【請求項７】
１以上の、請求項１から６のいずれか１項に記載の電源装置と、
前記電源装置と異なる回路であって、前記電源装置が給電する蓄電池と異なる蓄電池に給電する電源回路と、を有し、
前記電源装置及び前記電源回路は、共通の外部電源から給電され、
前記電源回路は、前記外部電源の復電時に少なくとも前記設定時間が経過する前に前記蓄電池への給電を開始する
電源制御システム。
【請求項８】
複数の、請求項１から６のいずれか１項に記載の電源装置、を有し、
前記複数の電源装置は、共通の外部電源から給電され、それぞれに設定された前記設定時間のうち少なくとも２以上が異なる
電源制御システム。
【発明の詳細な説明】
【技術分野】
【０００１】
本発明は、停電時に負荷へ給電する蓄電池に対しての、復電後の充電を制御する技術に関する。
【背景技術】
【０００２】
発電所等の外部電源から電力の供給を受けて各種の機器を駆動させる施設には、その外部電源からの受電が遮断されたときのために、蓄電池を備えているものがある。例えば、踏切の遮断器や警報機等の機器を駆動させ続けるために、平時に充電した蓄電池により、停電時にこれらの機器へ給電する構成が採用されていることがある。
【０００３】
外部電源が停止した場合の予備として蓄電池を備える施設では、外部電源と蓄電池とを切り替える際に障害が生じることがある。
特許文献１には、外部電源が停止した時に蓄電池から負荷に電源を供給する電源装置において、蓄電池と負荷との間に耐量が異なる複数のスイッチ素子を並列に配置し、外部電源の停止時に複数のスイッチ素子を異なるタイミングでオンすることで、スイッチの劣化・破壊の原因となる突入電流を抑制する電源装置が記載されている。
【先行技術文献】
【特許文献】
【０００４】
【特許文献１】特開２０１６−７３１０２号公報
【発明の概要】
【発明が解決しようとする課題】
【０００５】
ところで蓄電池は、起電力が低下するほど充電に要する電流が増大し、また満充電の状態まで起電力を回復させるために要する時間も増大する。復電時に装置や機器等の負荷を駆動させるための電流とともに蓄電池を充電するための電流が外部電源から流れると、電源切り替え開閉器の容量を超える電流が流れ配線用遮断器により外部電源からの給電が遮断されることもある。
【０００６】
また、起電力が低下した蓄電池では各種機器の安定した駆動に支障が生じる場合もある。さらに、閾値を超えて起電力が低下した蓄電池を過放電させると蓄電池が損傷して回復不能となる場合もある。
【０００７】
本発明の目的の一つは、復電時において蓄電池の状態に応じた充電を可能とすることである。
【課題を解決するための手段】
【０００８】
上述した課題を解決するため、本発明は、停電時に、蓄電池から負荷への給電経路を接続した状態にし、前記蓄電池が所定の条件を満たすと、前記給電経路を切断し、復電時に、前記給電経路が切断されていたら、設定された設定時間が経過した後に前記蓄電池への給電を開始し、前記給電経路が接続されていたら、前記蓄電池への給電を開始する電源装置を、第１の態様として提供する。
【０００９】
第１の態様の電源装置によれば、復電時において蓄電池の状態に応じた充電が行われる。
【００１０】
第１の態様の電源装置において、前記所定の条件は、前記蓄電池の電圧が閾値未満になることである、という構成が第２の態様として採用されてもよい。
【００１１】
第２の態様の電源装置によれば、電圧が閾値未満になった蓄電池から負荷への給電が止まる。
【００１２】
第１の態様の電源装置において、前記所定の条件は、前記蓄電池が前記負荷へ給電した時間が閾値以上になることである、という構成が第３の態様として採用されてもよい。
【００１３】
第３の態様の電源装置によれば、閾値以上の時間にわたって負荷へ給電したために電圧が低下したことが推測される蓄電池から負荷への給電が止まる。
【００１４】
第１から第３のいずれかの態様の電源装置において、前記設定時間は、利用者の操作に応じて設定される、という構成が第４の態様として採用されてもよい。
【００１５】
第４の態様の電源装置によれば、利用者は、復電時に蓄電池から負荷への給電経路が切断されていた場合に、蓄電池への給電を遅延させる時間を設定する。
【００１６】
第１から第４のいずれかの電源装置において、前記給電経路が接続されているか否かを利用者に提示する、という構成が第５の態様として採用されてもよい。
【００１７】
第５の態様の電源装置によれば、利用者は、蓄電池が所定の条件を満たしたか否かを知る。
【００１８】
第１から第５のいずれかの電源装置において、利用者の操作に応じて、前記蓄電池と前記負荷とを接続する、という構成が第６の態様として採用されてもよい。
【００１９】
第６の態様の電源装置によれば、蓄電池から負荷への給電が手動で行われる。
【００２０】
本発明は、１以上の、請求項１から６のいずれか１項に記載の電源装置と、前記電源装置と異なる回路であって、前記電源装置が給電する蓄電池と異なる蓄電池に給電する電源回路と、を有し、前記電源装置及び前記電源回路は、共通の外部電源から給電され、前記電源回路は、前記外部電源の復電時に少なくとも前記設定時間が経過する前に前記蓄電池への給電を開始する電源制御システムを、第７の態様として提供する。
【００２１】
第７の態様の電源制御システムによれば、電源回路に接続された蓄電池への給電の開始よりも遅れて、電源装置に接続された蓄電池への給電が開始される。
【００２２】
本発明は、複数の、請求項１から６のいずれか１項に記載の電源装置、を有し、前記複数の電源装置は、共通の外部電源から給電され、それぞれに設定された前記設定時間のうち少なくとも２以上が異なる電源制御システムを、第８の態様として提供する。
【００２３】
第８の態様の電源制御システムによれば、複数の電源装置のうち少なくとも２以上の電源装置のそれぞれに接続された蓄電池へ、異なるタイミングで給電が開始される。
【図面の簡単な説明】
【００２４】
【図１】本発明の一実施形態に係る電源装置１の構成の例を示す図。
【図２】復電時に蓄電池への給電を遅延させる場合の電源装置１の動作を示す図。
【図３】復電時に蓄電池への給電を遅延させない場合の電源装置１の動作を示す図。
【図４】複数の電源装置１を有する電源制御システム９の一例を示す図。
【図５】電源装置１と電源回路５とを有する電源制御システム９ａの一例を示す図。
【図６】変形例に係る電源装置１の構成の例を示す図。
【発明を実施するための形態】
【００２５】
＜実施形態＞
＜電源装置の構成＞
図１は、本発明の一実施形態に係る電源装置１の構成の例を示す図である。図１に二点鎖線で示す電源装置１は、継電器１１０、タイマー１２０、検出器１３０、第１接点１１１、第２接点１２１、及び第３接点１３１を有する。また、図１に示す通り、電源装置１は、表示灯１４０、及び手動接点１５１を有してもよい。電源装置１は、交流電源回路２、蓄電池３、及び負荷４と接続している。蓄電池３は、負荷４に対し並列に接続されている。
【００２６】
交流電源回路２は、交流電源２００から例えば１００Ｖの交流電力を受電して２４Ｖの直流電力を出力し、電源装置１に給電する整流器２０１を有する。電源装置１のタイマー１２０は、交流電源回路２において整流器２０１と並列に接続され、交流電源２００から給電を受ける。
【００２７】
第１給電経路Ｌ１は、電源装置１が整流器２０１から受電した直流電流を負荷４に流す経路である。図１に示す第１給電経路Ｌ１は、整流器２０１の正極→点Ｐ１２０→点Ｐ１１０→負荷４→点Ｐ１１１→点Ｐ１２１→整流器２０１の負極という経路である。
【００２８】
第１接点１１１は、オンであるときに整流器２０１から受電した直流電力を、負荷４に対し並列に接続された蓄電池３に給電する。整流器２０１からの直流電流は、整流器２０１の正極→点Ｐ１２０→点Ｐ１１０→点Ｐ１５０→第１接点１１１→点Ｐ１５１→点Ｐ１３１→蓄電池３→点Ｐ１１１→点Ｐ１２１→整流器２０１の負極という経路により蓄電池３に流れる。
【００２９】
また、この第１接点１１１は、停電時、すなわち、交流電源２００が停止し、整流器２０１から電源装置１への給電が遮断されているときにオンであると、蓄電池３の正極→点Ｐ１３１→点Ｐ１５１→第１接点１１１→点Ｐ１５０→点Ｐ１１０→負荷４→点Ｐ１１１→蓄電池３の負極という経路を形成する。
【００３０】
したがって、第１接点１１１がオンであると、整流器２０１から電源装置１へ給電されているときには、受電した直流電力が蓄電池３に給電され、整流器２０１から電源装置１への給電が遮断されているときには、蓄電池３からの電力が負荷４に給電される。つまり、外部電源から給電を受けているときに第１接点１１１がオンであれば、充電されて蓄電池３の電圧が上昇し、停電時に第１接点１１１がオンであれば、負荷４により消費されて蓄電池３の電圧が低下する。
【００３１】
継電器１１０は、給電されているときには第１接点１１１をオンにし、給電が遮断されると第１接点１１１をオフにするリレーである。
【００３２】
第２接点１２１は、オンであるときに整流器２０１から受電した直流電流を継電器１１０に流す第２給電経路Ｌ２を形成する。図１に示す第２給電経路Ｌ２は、整流器２０１の正極→点Ｐ１２０→第２接点１２１→点Ｐ１４０→継電器１１０→点Ｐ１４１→点Ｐ１２１→整流器２０１の負極という経路である。
【００３３】
検出器１３０は、蓄電池３の状態を検出し、検出した状態が所定の条件を満たさないときに第３接点１３１をオンにし、検出した状態が所定の条件を満たすときに第３接点１３１をオフにする。検出器１３０は、例えば、蓄電池３の電圧を検出して、検出の結果に応じて第３接点１３１を制御する電圧検出リレーである。
【００３４】
図１に示す検出器１３０は、点Ｐ１３０と点Ｐ１４１との間で、継電器１１０に対して並列に接続されている。そのため、この検出器１３０は、第２給電経路Ｌ２が形成されているときには整流器２０１からの給電を受け、第２給電経路Ｌ２が形成されておらず、かつ、第３給電経路Ｌ３が形成されているときには蓄電池３からの給電を受ける。
【００３５】
そして、この検出器１３０は、第２給電経路Ｌ２及び第３給電経路Ｌ３の少なくとも一方を介して給電されているときにその給電の電圧が閾値未満でなければ第３接点１３１をオンにし、その給電の電圧が閾値未満になったときに第３接点１３１をオフにする。
【００３６】
図１に示す検出器１３０は、停電時において蓄電池３の電圧を検出し、検出した電圧が閾値未満でなければ第３接点１３１をオンにし、この電圧が閾値未満になったときに第３接点１３１をオフにする。
【００３７】
この場合、検出器１３０が判定する、上述した所定の条件は、蓄電池３の電圧が閾値未満になることである。
【００３８】
タイマー１２０は、上述した通り、交流電源２００が稼働している期間は、この交流電源２００から給電を受けており、給電されているときには、この給電の開始から設定された設定時間が経過した後に第２接点１２１をオンにし、給電が遮断されると第２接点１２１をすぐにオフにする。すなわち、タイマー１２０と第２接点１２１とは、限時動作・瞬時復帰型（いわゆるオンディレイタイマー）の限時回路を構成する。
【００３９】
なお、タイマー１２０は、交流電源２００から給電されなくてもよい。要するにタイマー１２０は、交流電源回路２の稼働状態を検出し、交流電源回路２が停止すると第２接点１２１をすぐにオフにし、交流電源回路２の稼働が再開されると設定時間が経過した後に第２接点１２１をオンにすればよい。タイマー１２０は、例えばワンターンコイル等の交流電力の検出器を用いて交流電源回路２の稼働状態を検出してもよい。
【００４０】
図１に示す交流電源２００が停止し、整流器２０１から電源装置１への給電が遮断されると、第１給電経路Ｌ１及び第２給電経路Ｌ２が消滅する。このとき、タイマー１２０は、即時に第２接点１２１をオフにする。
【００４１】
その後、停止していた交流電源２００の稼働が再開されると、整流器２０１から電源装置１への給電が開始される。このとき、タイマー１２０は、この給電の開始から設定された設定時間が経過した後に第２接点１２１をオンにする。その結果、第１給電経路Ｌ１より遅れて第２給電経路Ｌ２が形成される。つまり、タイマー１２０により、復電時から第２接点１２１がオンになるまでの遅延期間が実現する。
【００４２】
なお、上述した設定時間はタイマー１２０の工場出荷時に設定された固定値であってもよいが、利用者の操作に応じて設定されてもよい。この場合、電源装置１は、利用者の操作に応じて設定された設定時間を記憶する半導体メモリ等の記憶手段を有していてもよい。タイマー１２０は、給電の開始から、この記憶手段が記憶した設定時間が経過した後に第２接点１２１をオンにする。タイマー１２０は、この記憶手段を内蔵していてもよい。
【００４３】
表示灯１４０は、継電器１１０への給電の有無を提示する提示手段の一例である。図１に示す表示灯１４０は、上述した第２給電経路Ｌ２における点Ｐ１４０と点Ｐ１４１との間に継電器１１０に対して並列に設けられ、継電器１１０への給電があるときには給電を受けて動作する。表示灯１４０は、例えば発光ダイオード等の発光素子であり、給電を受けているときに発光する。利用者は、表示灯１４０の発光を視認することで、継電器１１０への給電の有無を認識する。
【００４４】
なお、給電経路が接続されているか否かを利用者に提示するための構成には、発光素子以外にもスピーカ等の放音デバイスや可変標識、振動デバイス等が用いられてもよい。
【００４５】
第３接点１３１は、オンであるときに停電時において蓄電池３からの電力を継電器１１０に給電する第３給電経路Ｌ３を形成する。図１に示す第３給電経路Ｌ３は、蓄電池３の正極→点Ｐ１３１→第３接点１３１→点Ｐ１３０→継電器１１０→点Ｐ１４１→点Ｐ１２１→点Ｐ１１１→蓄電池３の負極という経路である。
【００４６】
手動接点１５１は、整流器２０１からの直流電流により蓄電池３を充電するための経路（整流器２０１と蓄電池３とを接続する経路）、及び蓄電池３からの電流を負荷４に流す経路（蓄電池３と負荷４とを接続する経路）において、第１接点１１１に対して並列に設けられた手動のスイッチである。図１に示す手動接点１５１は、オンであるときに点Ｐ１５０と点Ｐ１５１とを接続して第１接点１１１をバイパスする。
【００４７】
利用者が手動接点１５１を操作してオンにすると、第１接点１１１がオフであるときでも、整流器２０１から受電した直流電力が第１接点１１１を迂回して蓄電池３に給電される。これにより利用者は、タイマー１２０による遅延期間にも強制的に蓄電池３を充電することができる。すなわち、手動接点１５１は、第１接点１１１と並列に設けられ、利用者の操作に応じて直流電力を蓄電池３に給電する手動接点の一例である。
【００４８】
また、停電時において、利用者が手動接点１５１を操作すると、蓄電池３からの電力が負荷４に給電される。これにより利用者は、検出器１３０による低電圧検出の結果、第１接点１１１がオフになっているときでも、強制的に蓄電池３の起電力の範囲内で負荷４を稼働させることができる。
【００４９】
なお、タイマー１２０や継電器１１０が故障していたり、第１接点１１１そのものが故障していたりするために、第１接点１１１が常時オフになっていると、整流器２０１から受電した直流電力が蓄電池３に給電されない。この場合であっても、利用者は手動接点１５１を操作することにより強制的に蓄電池３を充電することができる。
【００５０】
また、検出器１３０が故障していたり、第３接点１３１そのものが故障していたりするために、第３接点１３１が常時オフになっていると、停電時に継電器１１０への給電が行われず、第１接点１１１がオフになる。この場合、復電時においてタイマー１２０及び第２接点１２１の機能により、整流器２０１から継電器１１０への給電が遅延されるため、蓄電池３の電圧が閾値未満になっていなくても、整流器２０１から第１接点１１１を介した蓄電池３への給電（充電）は遅延される。
【００５１】
＜電源装置の動作＞
図２は、復電時に蓄電池への給電を遅延させる場合の電源装置１の動作を示す図である。復電時とは、交流電源２００が稼働し、整流器２０１から電源装置１への給電が開始されたときのことである。
【００５２】
図２において横軸は時刻であり、縦軸の（Ａ）は交流電源２００からの給電を示し、（Ｂ）はタイマー１２０による第２接点１２１への出力を示し、（Ｃ）は検出器１３０で検出される検出器１３０への給電の電圧を示し、（Ｄ）は検出器１３０による第３接点１３１への出力（接点電圧）を示し、（Ｅ）は継電器１１０への給電の電圧を示している。
【００５３】
図２に示す時刻ｔ０において、交流電源２００が稼働しており（Ａ）、タイマー１２０は第２接点１２１をオンの状態にしている（Ｂ）。また、時刻ｔ０において検出器１３０は、第２接点１２１がオンであるため第２給電経路Ｌ２を介して整流器２０１からの直流電力を受電しており（Ｃ）、また、継電器１１０も第２給電経路Ｌ２を介して整流器２０１からの直流電力を受電している（Ｅ）。そして、直流電力を受電しているため、検出器１３０は第３接点１３１をオンの状態にしている（Ｄ）。
【００５４】
図２に示す時刻ｔ１において、交流電源２００が停止すると（Ａ）、即時にタイマー１２０は第２接点１２１をオフにし（Ｂ）、これにより第２給電経路Ｌ２は消滅する。このとき、電源装置１では、図１において太線で示した経路が接続された状態となる。そのため、時刻ｔ１において検出器１３０は、整流器２０１からの直流電力に代えて、第３給電経路Ｌ３を介して蓄電池３から電力を受電し（Ｃ）、その結果、検出器１３０は第３接点１３１の状態をオンのまま維持する（Ｄ）。つまり、第３接点１３１により形成される第３給電経路Ｌ３は維持される。そして、維持された第３給電経路Ｌ３を介して継電器１１０も蓄電池３からの電力を受電する（Ｅ）。
【００５５】
図２に示す時刻ｔ２において、検出器１３０が設定電圧Ｌｐを下回る電圧を検出すると（Ｃ）、検出器１３０は第３接点１３１をオフにし（Ｄ）、その結果、第３給電経路Ｌ３が消滅する。そのため、継電器１１０への蓄電池３からの給電も遮断される（Ｅ）。
【００５６】
図２に示す時刻ｔ３において、復電、すなわち停止していた交流電源２００の稼働が再開されると（Ａ）、タイマー１２０は計時を開始する（Ｂ）。しかし、設定時間Ｔｓが経過するまでは、第２接点１２１がオフであるため、第２給電経路Ｌ２は消滅したままである。
【００５７】
そして時刻ｔ３において第３給電経路Ｌ３も消滅しているため、継電器１１０への給電はなく（Ｅ）、検出器１３０への給電もなく（Ｃ）、第３接点１３１はオフの状態を続ける（Ｄ）。
【００５８】
図２に示す時刻ｔ４において、タイマー１２０が設定時間Ｔｓの経過を計測すると、第２接点１２１はオンにされ（Ｂ）、その結果、第２給電経路Ｌ２は再び形成される。このとき第２給電経路Ｌ２を介して継電器１１０に整流器２０１からの直流電力が給電されるため（Ｅ）、第１接点１１１がオンになり直流電力が蓄電池３にも給電される。つまり、復電後における交流電源回路２から蓄電池への給電は、設定時間Ｔｓだけ遅れて開始される。
【００５９】
また、第２給電経路Ｌ２を介して検出器１３０にも整流器２０１からの直流電力が給電されるため（Ｃ）、検出器１３０は第３接点１３１をオンにする（Ｄ）。
【００６０】
一方、図３は、復電時に蓄電池への給電を遅延させない場合の電源装置１の動作を示す図である。図３において横軸は時刻であり、縦軸の（Ａ）から（Ｅ）がそれぞれ示す対象は図２と共通である。
【００６１】
図３に示す例においては、図２に示す時刻ｔ２より前である時刻ｔ５に交流電源２００の稼働が再開されるため、検出器１３０が設定電圧Ｌｐを下回る電圧を検出することのないまま、第３接点１３１はオンの状態を維持し、第１接点１１１もオンの状態を維持する。したがって、整流器２０１からの直流電力は第１給電経路Ｌ１を介して負荷４に給電される。このとき、整流器２０１からの直流電力は、オンである第１接点１１１を介して蓄電池３へも供給される。つまり、復電後における交流電源回路２から蓄電池への給電は、遅れることなく即時に開始される。
【００６２】
以上の動作により、電源装置１は、復電時において蓄電池の状態に応じた充電をする。すなわち、電源装置１は、蓄電池３の電圧が設定電圧Ｌｐを下回る前に復電すると充電の開始を遅延させないが、蓄電池３の電圧が設定電圧Ｌｐを下回った後に復電すると充電の開始を遅延させるため、充電に消費される電力が決められた水準以上であるときに充電が設定時間だけ後回しにされる。また、設定電圧Ｌｐを下回るまで電圧が低下した蓄電池３の過放電が防止される。
【００６３】
また、この電源装置１は、停電時に、蓄電池３から負荷４への給電経路を接続した状態にし、停電時に、蓄電池３が所定の条件を満たすと、給電経路を切断し、復電時に、給電経路が切断されていたら、設定された設定時間が経過した後に蓄電池３への給電を開始し、復電時に、給電経路が接続されていたら、蓄電池３への給電を開始する。
【００６４】
また、この電源装置１は、受電した直流電力を、負荷に給電する第１給電経路と、オンであるときに前記直流電力を、前記負荷に対し並列に接続された蓄電池に給電する第１接点と、給電されているときには前記第１接点をオンにし、給電が遮断されると前記第１接点をオフにする継電器と、オンであるときに前記直流電力を前記継電器に給電する第２給電経路を形成する第２接点と、オンであるときに前記蓄電池からの電力を前記継電器に給電する第３給電経路を形成する第３接点と、前記蓄電池の状態を検出し、該状態が所定の条件を満たさないときに前記第３接点をオンにし、該状態が前記条件を満たすときに前記第３接点をオフにする検出器と、給電されているときには、該給電の開始から設定された設定時間が経過した後に前記第２接点をオンにし、給電が遮断されると前記第２接点をオフにするタイマーと、を有する電源装置、と表し得る。
【００６５】
＜電源制御システムの構成＞
この電源装置１の構成は、例えば、複数の電源装置１を有する電源制御システム９において有効である。図４は、複数の電源装置１を有する電源制御システム９の一例を示す図である。図４に示す電源制御システム９は、交流電源回路２に接続された４台の電源装置１（電源装置１ａ、１ｂ、１ｃ、１ｄ）を含む。これらの電源装置１は、共通の外部電源である交流電源回路２から給電されており、そのそれぞれには、蓄電池３（蓄電池３ａ、３ｂ、３ｃ、３ｄ）及び負荷４（負荷４ａ、４ｂ、４ｃ、４ｄ）が接続されている。
【００６６】
電源装置１ａ、１ｂ、１ｃ、１ｄのうち、少なくとも２以上で設定時間が異なるように設定されていれば、それら異なる設定時間が設定された電源装置１では、復電時を基準とした遅延期間が異なることになるため、充電の開始のタイミングがずれることになる。例えば、４台の電源装置１の全てで異なる設定時間を設定していれば、これらのそれぞれに接続された負荷４ａ、４ｂ、４ｃ、４ｄに対しては復電時から給電が開始され、蓄電池３ａ、３ｂ、３ｃ、３ｄに対しては、順次、給電が開始される。
【００６７】
この構成によれば、電源制御システム９が復電時に交流電源回路２から受電する電流が抑制される。また、この電源制御システム９に備えられた複数の電源装置１は、所定の条件下で共通の外部電源が復電したタイミングを基準に、それぞれ接続された蓄電池３への充電の開始を異なる設定時間で遅延させるので、システム全体に供給される電流が突発的に上昇する可能性が抑制される。そして、この電源制御システム９では、複数の電源装置１は互いに通信する必要がなく、協調して充電の開始を制御するため、駅等のそれぞれの負荷４や蓄電池３が設置された場所が物理的に遠い場合であっても、電源装置１が互いに通信するための通信設備を設置する必要がない。
【００６８】
以上の実施形態で説明された構成、形状、大きさ及び配置関係については本発明が理解・実施できる程度に概略的に示したものにすぎない。したがって本発明は、説明された実施形態に限定されるものではなく、特許請求の範囲に示される技術的思想の範囲を逸脱しない限り様々な形態に変更することができる。
【００６９】
＜変形例＞
以上が実施形態の説明であるが、この実施形態の内容は以下のように変形し得る。また、以下の変形例を組み合わせてもよい。
【００７０】
＜変形例１＞
上述した実施形態において、検出器１３０は、給電の電圧を検出して第３接点１３１を制御する電圧検出器であったが、検出器１３０は、蓄電池３の状態を検出し、検出した状態が所定の条件を満たしたか否かに応じて第３接点１３１を制御するものであればよい。
【００７１】
例えば、検出器１３０は、蓄電池３が負荷４へ給電した時間が閾値以上でないときには第３接点１３１をオンにし、その時間が閾値以上になったときに第３接点１３１をオフにする遅延回路であってもよい。この場合、検出器１３０は、給電の有無を検出するとともに、給電の開始からの経過時間が閾値を超えたか否かを検出する。
【００７２】
この場合、検出器１３０が判定する、上述した所定の条件は、蓄電池３が負荷４へ給電した時間が閾値以上になることである。
【００７３】
なお、検出器１３０が検出する蓄電池３の状態は、蓄電池３の起電力や蓄電池の給電時間に限られない。検出器１３０は、例えば、蓄電池３の電圧の変化速度や変化のパターンを検出してもよい。また、検出器１３０は、蓄電池３の電流値、電流値の変化速度や変化のパターンを検出してもよい。また、検出器１３０は、蓄電池３の温度、温度の変化速度や変化のパターンを検出してもよい。
【００７４】
＜変形例２＞
上述した実施形態において、複数の電源装置１を有する電源制御システム９を説明したが、電源制御システム９が備える電源装置１は１つでもよい。図５は、１つの電源装置１と電源回路５とを有する電源制御システム９ａの一例を示す図である。図５に示す電源制御システム９ａは、共通の外部電源である交流電源回路２から給電される、１つの電源装置１と電源回路５とを有する。電源装置１は、蓄電池３及び負荷４に接続されている。電源回路５は、蓄電池３ｅ及び負荷４ｅに接続されている。つまり、電源回路５は、電源装置１が給電する蓄電池３と異なる蓄電池３ｅに給電する電源回路である。
【００７５】
電源回路５は、例えば復電時に充電の開始を遅延させる構成を有しない。そのため、復電時には、すぐに蓄電池３ｅへの充電が開始される。
【００７６】
一方、電源装置１は、停電時に蓄電池３の低電圧を検出した場合には、蓄電池３の過放電を防止するために蓄電池３から負荷４への給電経路を遮断する。そして、復電時にこの給電経路が遮断されている場合、遅延期間を経なければ、この給電経路が接続されず、この給電経路を介して行われる蓄電池３への充電も行われない。
【００７７】
この構成であっても、蓄電池３及び蓄電池３ｅへの充電の開始のタイミングがずれることになるため、電源制御システム９ａが復電時に交流電源回路２から受電する電流が抑制される。
【００７８】
なお、図５に示す電源制御システム９ａは、１つの電源装置１を有していたが、複数の電源装置１を有していてもよい。すなわち、電源制御システム９ａが備える電源装置１は、１つ以上であればよい。また、上述した電源制御システム９ａにおいて、電源回路５は、復電時に、すぐに蓄電池３ｅへの充電を開始していたが、少なくとも電源装置１で設定されている設定時間が経過する前に蓄電池３ｅへの給電を開始すればよい。
【００７９】
＜変形例３＞
上述した実施形態において、検出器１３０は、第２給電経路Ｌ２及び第３給電経路Ｌ３の少なくとも一方を介して給電されているときにその給電の電圧に応じて第３接点１３１を制御していたが、蓄電池３の電圧を検出し、この蓄電池３の電圧に応じて第３接点１３１を制御してもよい。
【００８０】
図６は、変形例に係る電源装置１の構成の例を示す図である。図６に示す電源装置１では、検出器１３０ａが第３接点１３１ａに対し直列に、かつ、蓄電池３に対し並列に接続されている。この場合、検出器１３０ａは、蓄電池３の正極→点Ｐ１３１→点Ｐ１３２→検出器１３０ａ→点Ｐ１３３→点Ｐ１１１→蓄電池３の負極という経路により、蓄電池３の電圧を検出し、検出した蓄電池３の電圧が閾値未満でなければ第３接点１３１ａをオンにし、検出した電圧が閾値未満になったときに第３接点１３１ａをオフにする。第３接点１３１ａは、検出器１３０ａが蓄電池３の電圧を検出する経路上にないため、第３接点１３１ａの状態によって検出器１３０ａの検出対象が変化することはない。なお、検出器１３０ａは、交流電源回路２が停止しているときに蓄電池３から給電を受けるが、それによる消費電力が例えば負荷４の消費する電力等に比べて極めて低い場合、この変形例に係る電源装置１の構成は、蓄電池３の起電力を保護する構成として採用し得る。
【符号の説明】
【００８１】
１、１ａ…電源装置、１１０…継電器、１１１…第１接点、１２０…タイマー、１２１…第２接点、１３０、１３０ａ…検出器、１３１、１３１ａ…第３接点、１４０…表示灯、１５１…手動接点、２…交流電源回路、２００…交流電源、２０１…整流器、３、３ａ、３ｂ、３ｃ、３ｄ、３ｅ…蓄電池、４、４ａ、４ｂ、４ｃ、４ｄ、４ｅ…負荷、５…電源回路、９、９ａ…電源制御システム、Ｌ１…第１給電経路、Ｌ２…第２給電経路、Ｌ３…第３給電経路。
【図１】
2020010506.tif 000003
【図２】
2020010506.tif 000004
【図３】
2020010506.tif 000005
【図４】
2020010506.tif 000006
【図５】
2020010506.tif 000007
【図６】
2020010506.tif 000008